(57)【要約】【課題】使い勝手を向上させることができる椅子及び椅子ユニットを提供する。【解決手段】本発明の一態様に係る椅子１００は、上方を向く着座面を有する座部１０と、座部１０の幅方向側方に設けられて座部１０の側方を遮蔽するとともに、幅方向から見た側面視での外周形状が多角形状をなすアームレスト３０と、を備えている。アームレスト３０の前面３１ｆにおける上端よりも下方には、プラグ接続部５１が設けられている。【選択図】図７
2019208694.tif 000002
【特許請求の範囲】
【請求項１】
上方を向く着座面を有する座部と、
前記座部の幅方向側方に設けられて前記座部の側方を遮蔽するとともに、幅方向から見た側面視での外周形状が多角形状をなす側方部材と、を備え、
前記側方部材は、
上方を向いて肘載せ面をなす上面と、
前記上面に連続して前方を向く前面と、を備え、
前記側方部材の前面における上端よりも下方には、プラグ接続部が設けられている、
椅子。
【請求項２】
前記側方部材の前面は、上方から下方に向かって後方に傾斜した傾斜面を備え、
前記プラグ接続部は、前記傾斜面に設けられている、
請求項１に記載の椅子。
【請求項３】
前記傾斜面の上端は、前記側方部材の上面に連なっている、
請求項２に記載の椅子。
【請求項４】
前記側方部材の前面において、前記プラグ接続部の周囲には、後方に向かって窪む凹部が形成されている、
請求項１から請求項３の何れか１項に記載の椅子。
【請求項５】
前記プラグ接続部は、前記座部よりも上方に位置している、
請求項１から請求項４の何れか１項に記載の椅子。
【請求項６】
前記座部の前端部は、前記側方部材の前面よりも前方に位置している、
請求項１から請求項５の何れか一項に記載の椅子。
【請求項７】
前記側方部材の内部には、前記プラグ接続部と外部電源とを接続する配線が引き回されている、
請求項１から請求項６の何れか一項に記載の椅子。
【請求項８】
前記側方部材は、中空箱状のアームレストであり、
前記プラグ接続部は、前記アームレストの前面に設けられている、
請求項１から請求項７の何れか一項に記載の椅子。
【請求項９】
前記アームレストの内部には、折り畳み式のテーブルが収容される、
請求項８に記載の椅子。
【請求項１０】
前記プラグ接続部は、長手方向を上下方向として前記側方部材に設けられている、
請求項１から請求項９の何れか１項に記載の椅子。
【請求項１１】
請求項１から請求項１０の何れか１項に記載の椅子が幅方向に２つ並設された椅子ユニットであって、
前記側方部材は、
一方の前記椅子における他方の前記椅子とは反対側に設けられた第１側方部材と、
前記他方の椅子における前記一方の椅子とは反対側に設けられた第２側方部材と、を備えている、
椅子ユニット。
【発明の詳細な説明】
【技術分野】
【０００１】
本発明は、椅子及び椅子ユニットに関する。
【背景技術】
【０００２】
特許文献１，２に開示された椅子には、座部の側方に位置するアームレストに、プラグ接続部（電源コンセント）が設けられている。プラグ接続部は、例えばアームレストの後端部上面に露出している。このような構成においては、着座者の側方にプラグ接続部が設けられることになり、各種電子機器等のコネクタをプラグ接続部に容易に抜き差しできるとされる。
【先行技術文献】
【特許文献】
【０００３】
【特許文献１】特開２００１−１３８９９８号公報
【特許文献２】特許第５９５９８２５号公報
【発明の概要】
【発明が解決しようとする課題】
【０００４】
しかしながら、プラグ接続部が後方に位置するほど、配線等によって着座者の動作が妨げられる可能性が少なくなるものの、コネクタの抜き差しを着座した状態で行う際に上体の捻り動作が多くなる。そのため、首や背中、肩等の着座者の身体への負担が大きくなる。
また、プラグ接続部が着座者よりも後方に位置する場合には、第三者によるプラグ接続部へのアクセスに気付かない可能性もある。しかし、単にプラグ接続部をアームレスト上で前方に位置させるだけでは、アームレスト上に腕を載置している場合に、プラグ接続部に接続された電気機器が邪魔になることが考えられる。
【０００５】
本発明は、使い勝手を向上させることができる椅子及び椅子ユニットを提供することを目的とする。
【課題を解決するための手段】
【０００６】
上記目的を達成するために、本発明の一態様に係る椅子は、上方を向く着座面を有する座部と、前記座部の幅方向側方に設けられて前記座部の側方を遮蔽するとともに、幅方向から見た側面視での外周形状が多角形状をなす側方部材と、を備え、前記側方部材は、上方を向いて肘載せ面をなす上面と、前記上面に連続して前方を向く前面と、を備え、前記側方部材の前面における上端よりも下方には、プラグ接続部が設けられている。
【０００７】
本態様によれば、プラグ接続部が側方部材の前面に設けられることで、側方部材の上面後部にプラグ接続部が設けられている場合に比べて、コネクタを抜き差しする際に上体の捻り動作が少なくなる。そのため、コネクタの抜き差し動作が簡単になり、コネクタの抜き差し動作に伴う身体への負担を小さくできる。
また、側方部材の上面にプラグ接続部が設けられる場合に比べて、着座者が側方部材の上面に肘等を置こうとした場合に、電気機器やコネクタ配線等が邪魔になるのを抑制できる。その上、側方部材の前面にプラグ接続部が設けられることで、第三者によるプラグ接続部へのアクセスを着座者が判断し易くなる。そのため、第三者による悪戯等を未然に抑制できる。
しかも、側方部材によって座部の側方が遮蔽されるので、側方部材と座部の上面との間に隙間が生じている場合と異なり、電気機器のコネクタ配線が側方部材の下方に進入して側方部材に絡まること等を抑制できる。
その結果、椅子の使い勝手を向上させることができる。
【０００８】
本発明の一態様に係る椅子において、前記側方部材の前面は、上方から下方に向かって後方に傾斜した傾斜面を備え、前記プラグ接続部は、前記傾斜面に設けられていてもよい。
側方部材や側方部材の上方に配置されたテーブル等には、プラグ接続部に接続された電気機器の他に飲食物が置かれる場合がある。そのため、着座者や周囲の第三者が飲食物を引っ掛け飲食物が倒れると、飲食物（特に液体）が側方部材の前面を伝ってプラグ接続部に向けて流れる可能性がある。
そこで、本態様によれば、側方部材の前面が鉛直面、または上方から下方に向かって前方に傾斜している場合に比較すると、側方部材の上方で例えば液体をこぼしてしまった場合、液体が側方部材の上方から傾斜面に沿って流れにくい。すなわち、側方部材の前面を伝う液体が、プラグ接続部に到達する前に前面から離脱し易くなる。このため、プラグ接続部に液体がかかりにくく、電気的な短絡の発生を抑えることができる。
また、プラグ接続部は、側方部材の上面の前端部よりも後方に位置するので、プラグ接続部に接続されたコネクタやコネクタ配線等が、側方部材の前端部よりも前方に突出するのを抑えることができる。したがって、プラグ接続部に接続されたコネクタ配線が着座者や周囲の第三者の邪魔になるのを抑えることができる。
【０００９】
本発明の一態様に係る椅子において、前記傾斜面の上端は、前記側方部材の上面に連なっていてもよい。
本態様によれば、側方部材の上面と前面とが鋭角をなすので、例えば着座者の起立時等において、側方部材の前側上端部を把持しやすい。そのため、使い勝手を向上させることができる。
【００１０】
本発明の一態様に係る椅子において、前記側方部材の前面において、前記プラグ接続部の周囲には、後方に向かって窪む凹部が形成されていてもよい。
この構成によれば、傾斜面を伝って液体が流れ落ちてきた場合に、側方部材の最外面と凹部との境界部分において液体が離脱し易くなる。これにより、プラグ接続部に液体が到達するのを抑制し易くなる。
また、プラグ接続部が凹部内に配置されることで、プラグ接続部が側方部材の最外面から突出するのを抑制できる。その結果、側方部材の前方を通行する際に通行者等がプラグ接続部に引っ掛かるのを抑制できる。
【００１１】
本発明の一態様に係る椅子において、前記プラグ接続部は、前記座部よりも上方に位置していてもよい。
この構成によれば、プラグ接続部が着座者の大腿部以上の高さに設定されるので、着座した状態であってもコネクタの抜き差しを容易に行うことができる。
【００１２】
本発明の一態様に係る椅子において、前記座部の前端部は、前記側方部材の前面よりも前方に位置していてもよい。
この構成によれば、プラグ接続部に接続されたコネクタやコネクタ配線等が、座部の前端部よりも前方に突出するのを抑えることができる。したがって、側方部材の前方を通行する場合に、コネクタやコネクタ配線が通行者等の邪魔になるのを抑えることができる。
【００１３】
本発明の一態様に係る椅子において、前記側方部材の内部には、前記プラグ接続部と外部電源とを接続する配線が引き回されていてもよい。
この構成によれば、側方部材の内部に配線を引き回すことで、椅子の体裁を向上させることができる。
【００１４】
本発明の一態様に係る椅子において、前記側方部材は、中空箱状のアームレストであり、前記プラグ接続部は、前記アームレストの前記前面に設けられていてもよい。
この構成によれば、アームレストを備えた椅子の使い勝手を向上させることができる。
【００１５】
本発明の一態様に係る椅子において、前記アームレストの内部には、折り畳み式のテーブルが収容されていてもよい。
この構成によれば、折り畳み式のテーブルを収容するアームレストにおいて、椅子の使い勝手を向上させることができる。また、テーブルが例えば前席の背凭れに設けられている場合と異なり、電子機器をテーブルに載置したときにコネクタ配線が椅子と前席との間を横断することがない。そのため、着座者や周囲の第三者が椅子と前席との間を通過する際に、プラグ接続部に接続されたコネクタ配線が邪魔になるのを抑えることができる。
【００１６】
本発明の一態様に係る椅子において、前記プラグ接続部は、長手方向を上下方向として前記側方部材に設けられていてもよい。
本態様によれば、側方部材における幅方向の薄型化を図り、スペース効率を向上させることができる。
【００１７】
本発明の一態様に係る椅子ユニットは、上記態様に係る椅子が幅方向に２つ並設された椅子ユニットであって、前記側方部材は、一方の前記椅子における他方の前記椅子とは反対側に設けられた第１側方部材と、前記他方の椅子における前記一方の椅子とは反対側に設けられた第２側方部材と、を備えている。
本態様によれば、一つの椅子に対して幅方向の外側に一つの側方部材が設けられるので（椅子同士の間に側方部材が配置されないので）、各着座者が利用するプラグ接続部を瞬時に判断し易い。
【発明の効果】
【００１８】
本発明の各態様によれば、椅子の使い勝手を向上させることができる。
【図面の簡単な説明】
【００１９】
【図１】実施形態に係る椅子ユニットの全体構成を示す斜視図である。
【図２】実施形態に係る椅子ユニットを後方から見た図である。
【図３】実施形態に係る椅子のフレームの構成を主に示す斜視図である。
【図４】実施形態に係る椅子の座部を斜め下方から見た斜視図である。
【図５】実施形態に係る椅子のアームレストを示す斜視図である。
【図６】実施形態に係るアームレストの内部構成を示す斜視図である。
【図７】実施形態に係るアームレストの内部構成を示す側面図である。
【図８】図７のＶＩＩＩ−ＶＩＩＩ線に相当する断面図である。
【発明を実施するための形態】
【００２０】
以下、本発明の一実施形態に係る椅子について図面を参照して説明する。
以下の説明において、便宜上、椅子１００の着座者が前を向く方向を「前方」、その反対方向を「後方」と称する。また、椅子１００の着座者の左右方向を幅方向と称する。さらに、椅子１００を設置する床面Ｆに直交する方向を上下方向と称する。なお、図中適所には、椅子１００の幅方向を示す矢印Ｘ、椅子１００の前後方向を示す矢印Ｙ、椅子１００の上下方向を示す矢印Ｚが示されている。
【００２１】
［椅子ユニット］
図１は、実施形態に係る椅子ユニット１の全体構成を示す斜視図である。図２は、椅子ユニット１を後方から見た図である。
図１、図２に示すように、椅子ユニット１は、例えば鉄道車両等に搭載される。椅子ユニット１は、幅方向に並設された２つの椅子１００を備える。なお、椅子ユニット１を構成する椅子１００は、２つに限られない。また、椅子ユニット１の設置場所は鉄道車両以外の乗物でもよく、劇場や講堂、ホール等であってもよい。
【００２２】
図２に示すように、各椅子ユニット１は、床面Ｆ上に設けられた回転基台２上に設けられている。回転基台２は、床面Ｆに固定された固定ベース２ａと、固定ベース２ａに対して上下方向に沿う軸線Ｃ周りに回動可能に設けられた回転ベース２ｂと、を備えている。椅子ユニット１は、回転ベース２ｂ上に取り付けられている。椅子ユニット１は、軸線Ｃ周りに回転ベース２ｂと一体で回動可能に構成されている。
【００２３】
回転ベース２ｂは、軸線Ｃに対する径方向（図示の例では幅方向）に延びるロックピン３によって、固定ベース２ａに対する軸線Ｃ周りの回動が拘束可能となっている。ロックピン３は、後述するロック解除レバー７０（図１参照）によって、径方向に進退操作される。回転ベース２ｂは、ロック解除レバー７０によって、ロックピン３が固定ベース２ａから引き抜かれると、軸線Ｃ周りの回動が可能となる。なお、本実施形態では、椅子１００を、回転基台２上に設けるようにしたが、これに限らない。椅子１００は、床面Ｆ上に設けられた基台に固定されるようにしてもよい。
【００２４】
椅子ユニット１を構成する２つの椅子１００は、幅方向において対称な構成を有している。したがって、以下においては、幅方向の一方側（左側）の椅子１００のみを図示し、その説明を行う。
図１に示すように、椅子１００は、座部１０と、背凭れ２０と、アームレスト（側方部材）３０と、を備えている。
【００２５】
＜座部＞
図３は、椅子１００のフレームの構成を主に示す斜視図である。図４は、椅子１００の座部１０を斜め下方から見た斜視図である。
図１、図３、図４に示すように、座部１０は、座部フレーム１１（図３、図４参照）と、座枠１２（図３、図４参照）と、座部クッション１３（図１参照）と、を備えている。
【００２６】
図３、図４に示すように、座部フレーム１１は、例えば金属製で枠型に形成されている。具体的に、座部フレーム１１は、前後方向に間隔をあけて設けられた前部フレーム１１ｆ及び後部フレーム１１ｒと、前部フレーム１１ｆ及び後部フレーム１１ｒ間を架け渡す中間フレーム１１ｃと、を有する。
前部フレーム１１ｆ及び後部フレーム１１ｒは、それぞれ幅方向に延びている。
中間フレーム１１ｃは、幅方向に間隔をあけて２本設けられている。各中間フレーム１１ｃの前端部は、前部フレーム１１ｆに溶接等によって各別に固定されている。各中間フレーム１１ｃの後端部は、後部フレーム１１ｒに溶接等によって各別に固定されている。
【００２７】
図３に示すように、座枠１２は、例えば金属製で枠型に形成されている。具体的に、座枠１２は、前部フレーム１１ｆ上に固定された前枠１２ｆと、前枠１２ｆにおける幅方向の両端部から後方に向けて延びる一対の側枠１２ｓと、一対の側枠１２ｓの後端部同士を連結する後枠１２ｒと、を備えている。後枠１２ｒは、上述した後部フレーム１１ｒ上に設けられたブラケット１１ｂ上に固定されている。
【００２８】
図１に示すように、座部クッション１３は、座枠１２（図３参照）上に、座枠１２を覆うように設けられている。座部クッション１３は、弾性を有したクッション材（図示無し）と、クッション材を覆うカバー材１３ｃと、を備えている。座部クッション１３の上面は、着座者が着座する着座面１４を構成している。
【００２９】
＜背凭れ＞
図１、図３に示すように、背凭れ２０は、座部１０の後端部から上方に起立している。背凭れ２０は、背部フレーム２１と、バックパネル２２と、背受けパネル２３と、背部クッション２４（図１参照）と、を備えている。
【００３０】
図３に示すように、背部フレーム２１は、例えば金属製である。背部フレーム２１は、幅方向の両側に設けられた一対の縦枠２１ｖと、一対の縦枠２１ｖの上端部同士を連結する上枠２１ｕと、を備えている。一対の縦枠２１ｖは、上述した後部フレーム１１ｒの幅方向の両端部から上方に延びる支柱１５に、支軸部１６を介してそれぞれ支持されている。支軸部１６は、幅方向に沿う水平軸周りに縦枠２１ｖを回動自在に支持する。これにより、背部フレーム２１は、前後方向に傾動可能となっている。
【００３１】
背部フレーム２１には、上下方向に間隔をあけて、複数本の横帯材２５が設けられている。横帯材２５は、幅方向の両端部が一対の縦枠２１ｖに溶接等により固定されている。
【００３２】
バックパネル２２は、背部フレーム２１を後方から覆うように配置されている。バックパネル２２は、樹脂系材料等により形成されている。バックパネル２２は、ビス等によって背部フレーム２１に固定されている。
【００３３】
背受けパネル２３は、背部フレーム２１に対して前方に配置されている。背受けパネル２３は、背部フレーム２１の下半部に設けられている。背受けパネル２３は、樹脂系材料等により形成されている。背受けパネル２３は、上述した横帯材２５にビス等により固定されている。背受けパネル２３は、背部クッション２４を介して伝わる着座者の背中及び腰からの荷重を支持する。
【００３４】
図１に示すように、背部クッション２４は、背部フレーム２１及び背受けパネル２３（図３参照）を前方から覆うように設けられている。背部クッション２４は、弾性を有したクッション材（図示無し）と、クッション材を覆うカバー材２４ｃと、を備えている。背部クッション２４の前面は、着座者の背中を支持する背凭れ面２６を構成している。
【００３５】
＜物品収容部材＞
図２、図４に示すように、背凭れ２０の後方を向く背面２０ｒには、物品収容部材８０が設けられている。物品収容部材８０は、ベースパネル８１と、上側支持部８２と、下側支持部８３と、を備えている。
【００３６】
ベースパネル８１は、バックパネル２２の下半部に形成された開口部（図示無し）を後方から覆うように設けられている。ベースパネル８１は、前後方向から見て矩形状をなしている。ベースパネル８１の外周部には、バックパネル２２のうち開口部（図示無し）の外側部分に突き当たる縁部８１ａが形成されている。ベースパネル８１は、複数のビス等により、背部フレーム２１（図３参照）に固定されている。
【００３７】
図３に示すように、ベースパネル８１の上端部には、一対の爪部８１ｋが設けられている。各爪部８１ｋは、前方かつ上方に向かって突出している。各爪部８１ｋは、背部フレーム２１よりも前方に突出して、背受けパネル２３の上端部に係止されている。これにより、ベースパネル８１の上端部は、背受けパネル２３に対する後方への変位が拘束されている。
【００３８】
図４に示すように、ベースパネル８１には、前方に向かって窪む凹面（右側凹面８１ｄ及び左側凹面８１ｅ）が形成されている。ベースパネル８１において、凹面８１ｄ，８１ｅにおける幅方向の両側に位置する部分には、上下方向に延び、後方に隆起したリブ（右側リブ８１ｒ、中央リブ８１ｓ及び左側リブ８１ｔ）が形成されている。右側リブ８１ｒは、右側凹面８１ｄに対して右側に位置している。中央リブ８１ｓは、凹面８１ｄ，８１ｅの間を仕切っている。左側リブ８１ｔは、左側凹面８１ｅに対して左側に位置している。
【００３９】
リブ８１ｒ，８１ｓは、右側凹面８１ｄと上側支持部８２との間に収容される物品が幅方向に移動するのを抑える。
リブ８１ｓ，８１ｔは、左側凹面８１ｅと上側支持部８２との間に収容される物品が幅方向に移動するのを抑える。なお、リブ８１ｒ，８１ｓ，８１ｔは、ベースパネル８１の補強要素としても機能する。
【００４０】
上側支持部８２は、ベースパネル８１における上下方向の中間部に設けられている。上側支持部８２は、幅方向に延び、上下方向に所定寸法の高さを有している。上側支持部８２は、帯状部８２ａと、湾曲部８２ｂと、を有する。
【００４１】
帯状部８２ａは、上述したリブ８１ｒ，８１ｓ間で、凹面８１ｄと平行に延びている。帯状部８２ａには、リブ８１ｒ，８１ｓに沿って上方に所定長延びるガイド部材８２ｇが一体に形成されている。ガイド部材８２ｇは、上下方向から見た断面形状が略Ｌ字状で、凹面８１ｄに対して前後方向に間隔をあけて設けられている。ガイド部材８２ｇは、凹面８１ｄと平行な後壁部８２ｈを有する。
【００４２】
湾曲部８２ｄは、リブ８１ｓ，８１ｔ間で、後方に向かって膨出するように、上下方向から見て円弧状に湾曲している。湾曲部８２ｄの下端部には、湾曲部８２ｄの下端開口を横断するボトル受け８２ｃが一体に形成されている。
【００４３】
下側支持部８３は、ベースパネル８１の下端部に設けられている。下側支持部８３は、幅方向に延び、上下方向に所定寸法の高さを有した帯状に形成されている。
【００４４】
＜アームレスト＞
図１に示すように、アームレスト３０は、座部１０の左側に設けられている。すなわち、本実施形態では、一方の座部１０に対して左側に設けられたアームレスト３０が第１側方部材を構成し、他方の座部１０に対して右側に設けられたアームレスト３０が第２側方部材を構成する。このように、本実施形態のアームレスト３０は、椅子ユニット１において、幅方向の両端部に位置しており、椅子１００同士の間には設けられていない。
【００４５】
図５は、椅子１００のアームレスト３０を示す斜視図である。
図３、図５に示すように、アームレスト３０は、幅方向から見た側面視での外周形状が多角形状（本実施形態では下方に先細る台形状）とされた中空箱状に形成されている。すなわち、アームレスト３０は、座部１０に対して幅方向の外側を遮蔽している。アームレスト３０は、アームレスト本体３１と、アウターカバー（図５参照）３２と、インナーカバー３３（図３参照）と、トップカバー３４と、を備えている。
【００４６】
アームレスト本体３１は、幅方向に開口する開口部（左側開口部３１ｐ及び右側開口部３１ｑ）を有する枠型に形成されている。アームレスト本体３１の下端部は、座部フレーム１１に設けられた取付ブラケット１８に、複数本のボルト等によって固定されている。アームレスト本体３１の上面には、上方に向かって開口する上側開口部３１ｋ（図７参照）を有している。
【００４７】
アウターカバー３２は、アームレスト３０の左側開口部３１ｐを塞いでいる。図３に示すように、インナーカバー３３は、アームレスト３０の右側開口部３１ｑを塞いでいる。
【００４８】
トップカバー３４は、アームレスト本体３１の上側開口部３１ｋを塞いでいる。トップカバー３４の上面（側方部材の上面）は、上方を向く肘載せ面を構成している。トップカバー３４の左側端部は、前後方向に沿う軸線回りにアームレスト本体３１に回動自在に連結されている。これにより、トップカバー３４は、アームレスト３０の上面に配置されて上側開口部３１ｋを塞ぐ状態と、アームレスト本体３１の右側端部から起立して、上側開口部３１ｋを開放した状態と、の間で開閉動作可能となっている。
【００４９】
図６は、アームレスト３０の内部構成を示す斜視図である。図７は、アームレスト３０の内部構成を示す側面図である。
図６、図７に示すように、アームレスト３０の内部（アームレスト本体３１、アウターカバー３２及びインナーカバー３３で囲まれた内部空間）には、折り畳み式のテーブル４０が収容されている。テーブル４０は、板状で、テーブル支持部４１を介して、アームレスト本体３１に連結されている。
【００５０】
テーブル支持部４１は、アームレスト３０の内部において、座部１０の前後方向の中間部よりも前方に配置されている。本実施形態において、テーブル支持部４１は、アームレスト３０の内部において、前側上端部に配置されている。テーブル支持部４１は、テーブル４０がアームレスト３０の上側開口部３１ｋから引き出された使用状態と、アームレスト３０の内部に収容された不使用状態と、の間でテーブル４０を変位可能に支持する。テーブル４０は、使用状態において、使用面４０ｆが上方を向いた状態で、座部１０の上方で保持される。テーブル４０は、不使用状態において、使用面４０ｆが左側を向いた状態で、アームレスト３０の内部に収容される。
【００５１】
図７に示すように、テーブル支持部４１は、不使用状態におけるテーブル４０の前側上端部に位置する角部４０ｃに連結されている。テーブル支持部４１は、アームレスト本体３１に設けられて幅方向に沿う支軸３８周りに回動可能に設けられている。テーブル支持部４１は、テーブル４０の角部４０ｃを、概ね前後方向に沿う回動軸４１ｓ周りに回動可能に支持する。これにより、アームレスト３０に収容されたテーブル４０は、使用面４０ｆに沿った面内（幅方向に直交する面内）で回動可能となるよう支持されている。
【００５２】
アームレスト本体３１には、ストッパ４３が設けられている。ストッパ４３は、アームレスト３０内における前側下端部に位置している。ストッパ４３は、アームレスト本体３１に固定されたベース部４３ａと、ベース部４３ａから後方に延び、テーブル４０の外周端部に突き当たる突き当たり部４３ｂと、を有している。ストッパ４３は、不使用状態にあるテーブル４０の前方への回動範囲を規制する。
【００５３】
図６に示すように、アームレスト３０の内部において、テーブル４０に対して幅方向の両側には、サポートプレート４４が設けられている（図６には、テーブル４０に対して左側のサポートプレート４４のみを図示）。サポートプレート４４は、アウターカバー３２及びインナーカバー３３にそれぞれ固定されている。アウターカバー３２に設けられたサポートプレート４４は、左側開口部３１ｐを通じてアームレスト本体３１の内側に突出している。インナーカバー３３に設けられたサポートプレート４４は、右側開口部３１ｑを通じてアームレスト本体３１の内側に突出している。各サポートプレート４４は、アームレスト３０の内部において、不使用状態のテーブル４０を幅方向で挟持する。これにより、アームレスト３０の内部において、テーブル４０の幅方向の移動を規制し、テーブル４０が安定して保持される。
【００５４】
テーブル４０を不使用状態から使用状態に移行させるには、まずトップカバー３４を回動させて上側開口部３１ｋを開放させる。その後、テーブル４０を上方に持ち上げると、テーブル４０が使用面４０ｆの面内を支軸３８周りの上方に向けて回動する。これにより、テーブル４０は、支軸３８の周囲を下方から後方に回り込むように回動した後、アームレスト３０の上側開口部３１ｋから上方に引き出される。その後、テーブル支持部４１がアームレスト３０の上面に突き当たることで、テーブル４０の支軸３８周りの回動が規制される。この状態で、テーブル４０を右側に倒すと、テーブル４０が回動軸４１ｓ周りに回動し、座部１０の前部（着座者の下肢）を上方から覆うように配置される。これにより、テーブル４０は、使用面４０ｆが上方を向いた使用状態となる。なお、上記とは逆の手順を経ることで、テーブル４０を使用状態から不使用状態に移行させることができる。
【００５５】
＜配線接続部材＞
図６、図７に示すように、アームレスト３０は、各種の電子機器等のコネクタ９０が着脱可能に接続される配線接続部材５０を備えている。配線接続部材５０は、テーブル支持部４１よりも下方（アームレスト３０の上端よりも下方）、かつ不使用状態のテーブル４０よりも前方に設けられている。
配線接続部材５０は、コネクタ９０が接続されるプラグ接続部５１と、電源配線２００が接続される電源接続部５２と、プラグ接続部５１及び電源接続部５２間を接続するリード線５３と、を備えている。
【００５６】
プラグ接続部５１、電源接続部５２及びリード線５３は、アームレスト３０内に収容されている。プラグ接続部５１は、アームレスト本体３１の前面３１ｆに形成された前側開口部３１ｒ（図７参照）に嵌め込まれている。プラグ接続部５１の前端部は、前側開口部３１ｒを通してアームレスト本体３１の前面３１ｆに露出している。プラグ接続部５１の前面には、コネクタ９０が接続される配線接続部５４が形成されている。本実施形態のプラグ接続部５１は、長手方向を上下方向としてアームレスト本体３１に設けられている。但し、プラグ接続部５１は、長手方向を幅方向としてアームレスト本体３１に設けられていてもよい。なお、プラグ接続部５１（配線接続部５４）に接続されるコネクタ９０は、コンセントプラグであってもよく、光コネクタやＵＳＢ（Ｕｎｉｖｅｒｓａｌ  Ｓｅｒｉａｌ  Ｂｕs）コネクタ等であってもよい。
【００５７】
ここで、アームレスト本体３１の前面３１ｆは、上方から下方に向かって後方に傾斜した傾斜面３５により形成されている。本実施形態において、アームレスト本体３１の前面３１ｆは、上下方向の全体に亘って傾斜角度が一様な傾斜面３５とされている。すなわち、プラグ接続部５１は、傾斜面３５上において、配線接続部５４が前後方向に対して僅かに下方に向いた状態で設けられている。この場合、プラグ接続部５１は、アームレスト３０の上面の前端部３１ａよりも後方に位置する。本実施形態において、傾斜面３５は、アームレスト３０の上面に連なっている。したがって、アームレスト３０における前側上端部の角部は鋭角をなしている。なお、アームレスト本体３１の前面３１ｆは、少なくとも一部が傾斜面３５であってもよい。また、本実施形態において「傾斜面」は、下方に向かうに従い後方に延在していればよい。そのため、本実施形態の「傾斜面」は、幅方向から見た側面視で、直線状に限らず、湾曲状等も含む。
【００５８】
アームレスト本体３１の前面３１ｆ（傾斜面３５）において、前側開口部３１ｒの周囲に位置する部分は、最外面に対して後方に向けて窪む凹部３６が形成されている。本実施形態において、プラグ接続部５１の前面は、アームレスト本体３１の前面３１ｆ（傾斜面３５）において、最外面に対して面一又は後方に配置されている。但し、アームレスト本体３１の前面３１ｆ（傾斜面３５）は、凹部３６を有さない構成でもよい。
【００５９】
図７に示すように、アームレストの前面３１ｆ（傾斜面３５）は、座部１０の前端部１０ｇよりも後方に位置している。そのため、配線接続部５４に接続されたコネクタ９０のコネクタ配線９１が、座部１０の前端部１０ｇよりも前方に突出することが抑えられる。
また、本実施形態において、プラグ接続部５１は、座部１０の着座面１４に対して上方に位置している。
【００６０】
アームレスト３０の内部には、上述した電源配線２００が引き回される配線挿通部６０が形成されている。配線挿通部６０は、アームレスト３０の内部において、テーブル支持部４１よりも下方で、かつテーブル４０やストッパ４３よりも前方に画成されている。
【００６１】
図８は、図７のＶＩＩＩ−ＶＩＩＩ線に相当する断面図である。
図８に示すように、電源配線２００は、アームレスト３０内において、配線挿通部６０を通して、電源接続部５２から下方に案内された後、アームレスト本体３１に形成された切欠き部７５を通じて、アームレスト３０の外部（幅方向の内側）に引き出される。電源配線２００は、アームレスト３０の外部において、座部フレーム１１に沿って回転基台２に案内され、図示しない外部電源に接続される。なお、上述した切欠き部７５は、アームレスト本体３１の下部前端部において、幅方向の内側に向けて開口している。
【００６２】
＜ロック解除レバー＞
図５に示すように、アームレスト３０には、ロック解除レバー７０が設けられている。ロック解除レバー７０は、上述したロックピン３（図２参照）を径方向に進退移動させる。ロック解除レバー７０は、アームレスト３０の下端部に形成された収容凹部３９内に収容されている。収容凹部３９は、アームレスト３０の外面において、左側及び下方に開口している。
【００６３】
図８に示すように、ロック解除レバー７０の上端部は、前後方向に延びる回動軸７０ｓ周りに回動可能にアームレスト本体３１に支持されている。ロック解除レバー７０において、収容凹部３９からの露出面は、アームレスト３０左側面３０ｓに対して面一若しくは幅方向の内側に配置されていることが好ましい。
【００６４】
ロック解除レバー７０には、操作ケーブル７２の第１端部が連結されている。操作ケーブル７２の第２端部は、ロックピン３に連結されている。ロック解除レバー７０は、下端部を把持して引き起こすことで、回動軸７０ｓ周りの左側に回動する。すると、ロック解除レバー７０の変位が操作ケーブル７２を介してロックピン３に伝達され、ロックピン３が固定ベース２ａから引き抜かれる。その結果、上述したように回転基台２の回転ベース２ｂの拘束が解除され、椅子ユニット１を軸線Ｃ周りに回転させることができる。これにより、椅子ユニット１の前後方向の向きを変えることが可能となる。
【００６５】
このように、本実施形態では、座部１０の側方を遮蔽するアームレスト３０を備え、アームレスト３０の前面３１ｆにプラグ接続部５１が設けられた構成とした。
このような構成によれば、プラグ接続部５１がアームレスト３０の前面３１ｆに設けられることで、アームレストの上面後部にプラグ接続部５１が設けられている場合に比べて、コネクタ９０を抜き差しする際に上体の捻り動作が少なくなる。そのため、コネクタ９０の抜き差し動作が簡単になり、コネクタ９０の抜き差し動作に伴う身体への負担を小さくできる。
また、アームレストの上面にプラグ接続部が設けられる場合に比べて、着座者がアームレストの上面に肘等を置こうとした場合に、電気機器やコネクタ配線等が邪魔になるのを抑制できる。その上、アームレスト３０の前面３１ｆにプラグ接続部５１が設けられることで、第三者によるプラグ接続部５１へのアクセスを着座者が判断し易くなる。そのため、第三者による悪戯等を未然に抑制できる。
しかも、アームレスト３０によって座部１０の側方が遮蔽されるので、アームレスト３０と座部１０の上面との間に隙間が生じている場合と異なり、電気機器のコネクタ配線がアームレスト３０の下方に進入してアームレスト３０に絡まること等を抑制できる。
その結果、椅子１００の使い勝手を向上させることができる。
【００６６】
ところで、アームレストやアームレストの上方に配置されたテーブル等には、プラグ接続部に接続された電気機器の他に飲食物が置かれる場合がある。そのため、着座者や周囲の第三者が飲食物を引っ掛け飲食物が倒れると、飲食物（特に液体）がアームレストの前面を伝ってプラグ接続部に向けて流れる可能性がある。
そこで、本実施形態では、アームレスト３０の前面３１ｆが、上方から下方に向かって後方に傾斜した傾斜面３５を備え、プラグ接続部５１が傾斜面３５に設けられた構成とした。
この構成によれば、前面３１ｆが鉛直面、または上方から下方に向かって前方に傾斜している場合に比較すると、アームレスト３０の上方で例えば液体をこぼしてしまった場合、液体がアームレスト３０の上方から傾斜面３５に沿って流れにくい。すなわち、アームレスト３０の前面３１ｆを伝う液体が、プラグ接続部５１に到達する前に前面３１ｆから離脱し易くなる。このため、プラグ接続部５１に液体がかかりにくく、電気的な短絡の発生を抑えることができる。
また、プラグ接続部５１は、アームレスト３０の上面の前端部３１ａよりも後方に位置するので、プラグ接続部５１に接続されたコネクタ９０やコネクタ配線９１等が、アームレスト３０の前端部３１ａよりも前方に突出するのを抑えることができる。したがって、プラグ接続部５１に接続されたコネクタ配線９１が着座者や周囲の第三者の邪魔になるのを抑えることができる。
【００６７】
本実施形態では、傾斜面３５の上端がアームレスト３０の上面（トップカバー３４の上面）に連なる構成とした。
この構成によれば、アームレスト３０の前側上端部の角部が鋭角をなすので、例えば着座者の起立時等において、アームレスト３０の前側上端部を把持しやすい。そのため、使い勝手を向上させることができる。
【００６８】
本実施形態では、アームレスト３０の前面３１ｆにおいて、プラグ接続部５１の周囲に凹部３６が形成された構成とした。
この構成によれば、傾斜面３５を伝って液体が流れ落ちてきた場合に、アームレスト３０の最外面と凹部３６との境界部分において液体が離脱し易くなる。これにより、プラグ接続部５１に液体が到達するのを抑制し易くなる。
また、プラグ接続部５１が凹部３６内に配置されることで、プラグ接続部５１がアームレスト３０の最外面から突出するのを抑制できる。その結果、アームレスト３０の前方を通行する際に通行者等がプラグ接続部５１に引っ掛かるのを抑制できる。
【００６９】
本実施形態では、プラグ接続部５１が座部１０よりも上方に位置する構成とした。
この構成によれば、プラグ接続部５１が着座者の大腿部以上の高さに設定されるので、着座した状態であってもコネクタ９０の抜き差しを容易に行うことができる。
【００７０】
本実施形態では、座部１０の前端部１０ｇがアームレスト３０の前面３１ｆよりも前方に位置している構成とした。
この構成によれば、プラグ接続部５１に接続されたコネクタ９０やコネクタ配線９１等が、座部１０の前端部１０ｇよりも前方に突出するのを抑えることができる。したがって、アームレスト３０の前方を通行する場合に、コネクタ９０やコネクタ配線９１が通行者等の邪魔になるのを抑えることができる。
【００７１】
本実施形態では、アームレスト３０の内部に配線挿通部６０を形成することで、椅子１００の体裁を向上させることができる。
【００７２】
本実施形態では、プラグ接続部５１が設けられた側方部材として、アームレスト３０を採用する構成とした。
この構成によれば、アームレスト３０を備えた椅子１００の使い勝手を向上させることができる。
【００７３】
本実施形態では、アームレスト３０の内部に、折り畳み式のテーブル４０を収容する構成とした。
この構成によれば、折り畳み式のテーブル４０を収容するアームレスト３０において、椅子１００の使い勝手を向上させることができる。また、テーブルが例えば前席の背凭れに設けられている場合と異なり、電子機器をテーブル４０に載置したときにコネクタ配線が椅子１００と前席との間を横断することがない。そのため、着座者や周囲の第三者が椅子１００と前席との間を通過する際に、プラグ接続部５１に接続されたコネクタ配線が邪魔になるのを抑えることができる。
【００７４】
本実施形態の椅子ユニット１では、一方の座部１０に対して左側、及び他方の座部１０に対して右側にそれぞれアームレスト３０が配置された構成とした。
この構成によれば、一つの椅子１００に対して幅方向の外側に一つのアームレスト３０が設けられるので（椅子１００同士の間にアームレストが配置されないので）、各着座者が利用するプラグ接続部５１を瞬時に判断し易い。
【００７５】
（その他の実施形態）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、アームレスト３０が椅子１００に対して幅方向の一方側のみに設けられた構成について説明したが、これに限らない。アームレスト３０は、椅子１００に対して幅方向の両側に設けられていてもよい。
【００７６】
上述した実施形態では、プラグ接続部５１が座部１０（着座面１４）よりも上方に位置する構成について説明したが、この構成のみに限られない。着座面１４に対するプラグ接続部５１の上下位置は、適宜変更が可能である。
上述した実施形態では、アームレスト３０の前面３１ｆにプラグ接続部５１が一つ配置された構成について説明したが、この構成のみに限らず、前面３１ｆに複数のプラグ接続部５１を配置してもよい。
【００７７】
上述した実施形態では、プラグ接続部５１を傾斜面３５に備えた側方部材として、中空のアームレスト３０を示したが、これに限らない。本発明に係る側方部材としては、中実構造のアームレストや、椅子１００の脚体等であってもよい。
【００７８】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７９】
１０  座部
１０ｇ  前端部
１４  着座面
３０  アームレスト（側方部材）
３５  傾斜面
３６  凹部
４０  テーブル
５１  プラグ接続部
１００  椅子
【図１】
2019208694.tif 000003
【図２】
2019208694.tif 000004
【図３】
2019208694.tif 000005
【図４】
2019208694.tif 000006
【図５】
2019208694.tif 000007
【図６】
2019208694.tif 000008
【図７】
2019208694.tif 000009
【図８】
2019208694.tif 000010